(57)【特許請求の範囲】
【請求項１】
電線と、該電線の導体部に接続される導体接続部及び相手側の端子に接続される箱状の端子接続部を有する端子金具と、を備えた端子付電線における前記導体部と前記導体接続部との接続部分を被覆材によって被覆する被覆装置であって、
前記端子付電線を保持する保持手段と、
金属製の出射部を有するとともに前記被覆材を含む液体を該出射部から出射する出射手段と、
前記出射部と前記接続部分とに電圧を印加して帯電させる電圧印加手段と、を備え、
前記保持手段は、前記端子接続部を収容する収容部を備えて当該端子接続部を覆う端子マスク部と、前記収容部内に設けられて前記端子接続部及び前記電圧印加手段に電気的に接続される電極部と、を有し、
前記端子マスク部は、前記収容部に前記端子接続部を収容した状態において該収容部の前記電線側の開口を塞ぐとともに前記端子金具に電気的に接続されるカバー壁を備え、
前記カバー壁は、導電性を有することを特徴とする被覆装置。
【請求項２】
前記保持手段は、前記端子金具側が上方を向くように前記端子付電線を傾斜させて保持することを特徴とする請求項１に記載の被覆装置。
【請求項３】
前記被覆材は、防食材であることを特徴とする請求項１又は２に記載の被覆装置。
【発明の詳細な説明】
【技術分野】
【０００１】
本発明は、端子付電線における電線の導体部と端子金具の導体接続部との接続部分を被覆材によって被覆する被覆装置に関する。
【背景技術】
【０００２】
従来、端子付電線における電線の芯線（導体部）と、圧着端子（端子金具）の接点部（端子接続部）と、の接続部分に被覆材としての防食材を被覆する方法が提案されている（例えば、特許文献１参照）。特許文献１では、圧着端子側が上方を向くように端子付電線を傾斜させて支持し、流動状態の合成樹脂を供給している。このような構成により、接続部分を被覆するとともに、接点部に合成樹脂が流れ込まないようにし、接点部における相手側の端子との電気的な接続不良を抑制している。
【先行技術文献】
【特許文献】
【０００３】
【特許文献１】特開２０１４−１３０７０３号公報
【発明の概要】
【発明が解決しようとする課題】
【０００４】
しかしながら、特許文献１に記載された発明では、端子付電線を傾斜させているため合成樹脂が下方に流れてしまい、特に接続部分の上方側（接点部側）において防食材の量が不足してしまいやすいという不都合があった。防食材の量が不足すると、接続部分が防食材によって被覆されずに露出してしまうことが考えられる。また、傾斜角度を小さくすれば合成樹脂を下方に流れにくくして接続部分の露出を抑制することができるものの、接点部に合成樹脂が流れ込みやすくなってしまう。従って、接点部への防食材の付着を抑制しつつ、接続部分が露出しないように防食材によって被覆することは困難であった。
【０００５】
本発明の目的は、端子金具の端子接続部への被覆材の付着を抑制しつつ、電線の導体部と端子金具の導体接続部との接続部分が露出しないように被覆材によって被覆することができる被覆装置を提供することにある。
【課題を解決するための手段】
【０００６】
前記課題を解決し目的を達成するために、請求項１に記載された発明は、電線と、該電線の導体部に接続される導体接続部及び相手側の端子に接続される箱状の端子接続部を有する端子金具と、を備えた端子付電線における前記導体部と前記導体接続部との接続部分を被覆材によって被覆する被覆装置であって、前記端子付電線を保持する保持手段と、金属製の出射部を有するとともに前記被覆材を含む液体を該出射部から出射する出射手段と、前記出射部と前記接続部分とに電圧を印加して帯電させる電圧印加手段と、を備え、前記保持手段は、前記端子接続部を収容する収容部を備えて当該端子接続部を覆う端子マスク部と、前記収容部内に設けられて前記端子接続部及び前記電圧印加手段に電気的に接続される電極部と、を有し、前記端子マスク部は、前記収容部に前記端子接続部を収容した状態において該収容部の前記電線側の開口を塞ぐとともに前記端子金具に電気的に接続されるカバー壁を備え、前記カバー壁は、導電性を有することを特徴とする被覆装置である。
【０００９】
参考発明は、電線と、該電線の導体部に接続される導体接続部及び相手側の端子に接続される箱状の端子接続部を有する端子金具と、を備えた端子付電線における前記導体部と前記導体接続部との接続部分を被覆材によって被覆する被覆装置であって、前記端子付電線を保持する保持手段と、金属製の出射部を有するとともに前記被覆材を含む液体を該出射部から出射する出射手段と、前記出射部と前記接続部分とに電圧を印加して帯電させる電圧印加手段と、を備え、前記保持手段は、前記端子接続部を収容する収容部を備えて当該端子接続部を覆う端子マスク部と、前記収容部内に設けられて前記端子接続部及び前記電圧印加手段に電気的に接続される電極部と、を有し、前記カバー壁における前記収容部の外側の表面は、撥水性材料によって被覆されていることを特徴とするものである。
【００１０】
請求項２に記載された発明は、請求項１に記載の発明において、前記保持手段は、前記端子金具側が上方を向くように前記端子付電線を傾斜させて保持することを特徴とするものである。
【００１１】
請求項３に記載された発明は、請求項１又は２に記載の発明において、前記被覆材は、防食材であることを特徴とするものである。
【発明の効果】
【００１２】
請求項１に記載された発明によれば、端子接続部を収容部に収容して端子マスク部によって覆うことで、被覆材を含む液体が端子接続部に付着してしまうことを抑制することができる。また、出射部と接続部分とに電圧を印加して帯電させることで、出射部から出射された液体が帯電し、液滴同士が反発して拡散される。さらに、帯電した液体は接続部分に引き寄せられる。従って、端子マスク部と接続部分との境界に角部等が形成されていても、この境界近傍にも液体を充分に届かせて付着させることができ、接続部分が露出しないように被覆材によって被覆することができる。
【００１３】
また、収容部の開口がカバー壁によって塞がれていることで、出射された液体が開口から収容部内に浸入しにくくし、端子接続部に被覆材を含む液体が付着してしまうことをさらに抑制することができる。
【００１４】
また、カバー壁が導電性を有していることで、帯電した液体をカバー壁に付着させやすくすることができ、液体が収容部内に向かいにくくなり、浸入を抑制することができる。
【００１５】
参考発明によれば、カバー壁における外側の表面が撥水性材料によって被覆されていることで、液体がカバー壁の表面において弾かれやすく、液体がカバー壁を伝って収容部内に浸入することを抑制することができる。
【００１６】
請求項２に記載された発明によれば、端子金具側が上方を向くように端子付電線が傾斜して保持されることで、接続部分表面に付着した液体が端子接続部側に流れて収容部内に浸入することを抑制することができる。このとき、接続部分において液体が下方側に流れる可能性があるものの、上記のように出射時に液体が拡散されるとともに、上方側に位置した端子マスク部近傍においても液体を接続部分に付着させやすいことから、接続部分が露出しにくい。
【００１７】
請求項３に記載された発明によれば、防食材によって導体部と導体接続部との接続部分を被覆することで腐食を抑制することができる。尚、防食材は、水性のウレタン樹脂塗料であることがより好ましく、ウレタン樹脂塗料を水に溶解又は分散させて防食材を含む液体としての出射液とすることにより、容易に取り扱うことできる。
【図面の簡単な説明】
【００１８】
【図１】本発明の実施形態に係る被覆装置全体の構成を示す斜視図である。
【図２】前記被覆装置によって被覆材が被覆される端子付電線を示す斜視図である。
【図３】前記被覆装置の保持手段を示す斜視図である。
【図４】前記保持手段を示す断面図である。
【図５】前記端子付電線の金属表面に出射液が付着する様子を模式的に示す断面図である。
【図６】本発明の変形例の被覆装置における保持手段を示す断面図である。
【発明を実施するための形態】
【００１９】
以下、本発明の実施形態を図面に基づいて説明する。図１は、本発明の被覆装置１全体の構成を示す斜視図であり、図２は、被覆装置１によって防食材が被覆される端子付電線１００を示す斜視図であり、図３は、被覆装置１の保持手段５を示す斜視図であり、図４は、保持手段５を示す断面図であり、図５は、端子付電線１００の金属表面に出射液が付着する様子を模式的に示す断面図である。
【００２０】
本実施形態の被覆装置１は、図１に示すように、被覆材としての防食材によって複数の端子付電線１００の後述する被覆領域Ａを被覆する装置であって、防食材を含む液体としての出射液を出射する出射手段としてのスプレーガン２と、スプレーガン２のノズル２１と後述する電極部５１３とに電圧を印加する電圧印加手段３と、ノズル２１を移動させる移動手段４と、複数の端子付電線１００を保持する保持手段５と、装置全体の制御を司る図示しない制御手段と、を備える。尚、本実施形態では、水平面をＸＹ平面として鉛直方向をＺ方向とする。また、複数の端子付電線１００が一方向に並設され、この並設方向をＸ方向とする。
【００２１】
端子付電線１００は、図２に示すように、電線としてのアルミニウム電線２００と、アルミニウム電線２００の端部に接続された端子金具３００と、を備える。アルミニウム電線２００は、アルミニウム又はアルミニウム合金で構成された導体部２０１と、導体部２０１の外側を被覆する絶縁被覆２０２と、を有する。端子金具３００は、例えば銅等の適宜な金属で構成され、アルミニウム電線２００の先端部分が載置される載置板部３０１と、導体部２０１のうち絶縁被覆２０２から露出した部分に加締められて電気的に接続される導体接続部としての第１加締め部３０２と、絶縁被覆２０２に加締められる第２加締め部３０３と、相手側の端子に電気的に接続される端子接続部３０４と、を有し、導体部２０１に電気的に接続される。
【００２２】
端子接続部３０４は、板金を曲げ加工及び打ち抜き加工することによって箱状に形成され、載置板部３０１に連続した底板部３０５と、底板部３０５の両側に位置する一対の側板部３０６と、底板部３０５に対向する天板部３０７と、を有する。また、導体部２０１に第１加締め部３０２が加締められた部分が接続部分４００となり、接続部分４００を含む被覆領域Ａに防食材が被覆される。被覆領域Ａとは、露出した導体部２０１、第１加締め部３０２、第２加締め部３０３、及び、絶縁被覆２０２の端子金具３００側の一部を含む領域であって、端子接続部３０４は含まれない。
【００２３】
防食材は、例えば水性のウレタン樹脂であって、水に溶解又は分散させることで出射液となる。即ち、金属表面において出射液が乾燥することによって防食材が残り、金属が防食材によって被覆されるようになっている。
【００２４】
スプレーガン２は、保持手段５の上方に配置されて出射液を出射する出射部としてのノズル２１と、出射液を収容する図示しない収容部と、ノズル２１と収容部とを接続する可撓性の図示しない接続部と、圧力を加えることでノズル２１に出射液を出射させる図示しない加圧部と、を有し、Ｘ方向及び端子付電線１００の長手方向に略直交する方向を出射方向として出射液を出射する。即ち、後述するように端子付電線１００がＹ方向に対して傾斜角度θだけ傾斜しており、この傾斜角度θに応じてノズル２１の出射方向もＺ方向に対して傾斜角度θだけ傾斜している。ノズル２１は、例えば鉄やアルミ等の導電性の金属で構成されている。尚、ノズル２１の出射方向は、Ｘ方向及び端子付電線１００の長手方向に略直交する方向から多少の傾きを有していてもよく、Ｚ方向に沿う方向であってもよい。
【００２５】
電圧印加手段３は、直流電源３１と、後述する電極部５１３に電気的に接続される第１接続部３２と、ノズル２１に電気的に接続される第２接続部３３と、を有する。直流電源３１は、第１接続部３２と第２接続部３３との間に例えば２０ｋＶの電圧を印加するものとする。本実施形態では、第１接続部３２が直流電源３１の負極に接続され、第２接続部３３が直流電源３１の正極に接続され、電圧印加手段３は、電極部５１３が負の電荷を有して帯電し、ノズル２１が正の電荷を有して帯電するように電圧を印加する。尚、独立な２つの直流電源を用い、一方の直流電源の負極に第１接続部を接続するとともに他方の直流電源の正極に第２接続部を接続してもよく、接地電位と第１接続部との電位差と、接地電位と第２接続部との電位差と、は互いに異なる値であってもよい。
【００２６】
移動手段４は、例えばそれぞれＸ方向、Ｙ方向及びＺ方向に沿って進退する３つの直動モータを有し、ノズル２１をＸ方向、Ｙ方向及びＺ方向に平行移動可能に構成され、出射方向を略一定に保ちつつノズル２１を三次元的に移動させる。
【００２７】
保持手段５は、図３に示すように、端子付電線１００を保持する保持本体部５１と、保持本体部５１が適宜な傾斜角度を有するように固定する支持台５２と、を有する。保持本体部５１は、図４に示すように、アルミニウム電線２００が載置される平板状の電線載置部５１１と、端子付電線１００の長手方向において電線載置部５１１から離隔するとともに端子金具３００の端子接続部３０４を覆う端子マスク部５１２と、端子接続部３０４に電気的に接続される電極部５１３と、電線載置部５１１に取り付けられてアルミニウム電線２００の絶縁被覆２０２の一部を覆う被覆カバー板５１４と、を備える。尚、端子マスク部５１２は、Ｘ方向の両端において電線載置部５１１に固定されている。
【００２８】
電線載置部５１１には、絶縁被覆２０２の端子金具３００側の一部が突出するようにアルミニウム電線２００が載置される。また、被覆カバー板５１４は、絶縁被覆２０２のうち電線載置部５１１から突出した部分が露出するように、電線載置部５１１との間にアルミニウム電線２００を挟み込む。
【００２９】
端子マスク部５１２は、端子金具３００の載置板部３０１と底板部３０５との境界部分が載置される端子載置部材５１２Ａと、端子載置部材５１２ＡをＺ方向上方から覆うように取り付けられるマスク本体５１２Ｂと、を備える。端子載置部材５１２Ａには上面から突出した載置突起５１２Ｃが形成されており、端子載置部材５１２Ａに載置された端子金具３００は、載置板部３０１と底板部３０５との境界部分の下面において載置突起５１２Ｃに当接し、その他の部分において端子載置部材５１２Ａの上面から離隔するようになっている。
【００３０】
マスク本体５１２Ｂは、導電性を有する金属部材によって構成されるとともに、Ｚ方向下方側に開口した複数の凹部が形成されており、端子載置部材５１２Ａにマスク本体５１２Ｂを取り付けることにより、それぞれ１つの端子接続部３０４を収容可能な複数の収容部５１２Ｄが形成される。また、マスク本体５１２Ｂのアルミニウム電線２００側の端部には、端子載置部材５１２Ａに向かって延びるカバー壁５１２Ｅが形成されている。図３（Ａ）に示すように端子付電線１００を載置せずに端子載置部材５１２Ａにマスク本体５１２Ｂを取り付けた際、カバー壁５１２Ｅの先端は、端子載置部材５１２Ａの上面に対し、載置突起５１２Ｃの突出寸法と、載置板部３０１と底板部３０５との境界部分の板厚と、の和に略等しい寸法だけ離隔するようになっている。このとき、収容部５１２Ｄにおけるアルミニウム電線２００側の開口のＸ方向寸法は、端子接続部３０４における開口を通過する部分のＸ方向寸法に略等しい。さらに、マスク本体５１２Ｂの凹部内の上壁には、Ｘ方向に延びる帯状の電極部５１３が固定されている。
【００３１】
このような端子マスク部５１２には、以下のような手順で端子接続部３０４が収容される。まず、マスク本体５１２Ｂを取り外した状態の端子載置部材５１２Ａに端子金具３００を載置する。次に、端子接続部３０４を覆うようにマスク本体５１２Ｂを端子載置部材５１２Ａに取り付け、収容部５１２Ｄを形成するとともに端子接続部３０４を収容部５１２Ｄに収容する。このとき、収容部５１２Ｄ内で電極部５１３が天板部３０７に上方から当接し、電極部５１３と端子金具３００とが電気的に接続される。また、電極部５１３は、複数の端子付電線１００における端子金具３００と電気的に接続される。上記のように電極部５１３が正の電荷を有して帯電することで、導体部２０１及び端子金具３００も正の電荷を有して帯電し、端子付電線１００の導体部分（接続部分４００を含む）全体は正の電荷を有して帯電する。また、カバー壁５１２Ｅと載置突起５１２Ｃとによって載置板部３０１と底板部３０５との境界部分が挟み込まれ、収容部５１２Ｄのアルミニウム電線２００側の開口が、カバー壁５１２Ｅ及び載置突起５１２Ｃによって塞がれる。さらに、カバー壁５１２Ｅが端子金具３００に接触して電気的に接続され、カバー壁５１２Ｅを有するマスク本体５１２Ｂも正の電荷を有して帯電するようになっている。
【００３２】
以上のように保持本体部５１によって端子付電線１００を保持することにより、端子付電線１００のうち電線載置部５１１と端子マスク部５１２との間において露出した部分が被覆領域Ａとなる。尚、載置板部３０１と底板部３０５との境界部分が端子載置部材５１２Ａに載置されていることで、載置板部３０１の下面が端子載置部材５１２Ａの上面から離隔し、下面側も被覆領域Ａに含まれる。
【００３３】
支持台５２は、被覆装置１が設置される設置台等に載置される平板状の土台部５２１と、土台部５２１から立設されて上方に延びる柱部５２２と、柱部５２２の適宜な位置に取り付けられて土台部５２１と略平行に延びる支持部５２３と、を有する。土台部５２１が電線載置部５１１を支持し、支持部５２３が端子マスク部５１２を支持することにより、端子付電線１００の端子金具３００側が上方を向くように保持本体部５１が傾斜する。即ち、保持手段５は、端子金具３００側が上方を向くように端子付電線１００を傾斜させて保持する。本実施形態において、端子付電線１００は、長手方向がＹ方向に対して傾斜角度θだけ傾斜して保持されるものとする。また、支持台５２は、裏返した保持本体部５１も支持することができるようになっている。
【００３４】
以下、被覆装置１を用いて端子付電線１００に向けて出射液を出射し、防食材によって端子付電線１００を被覆する方法について説明する。
【００３５】
まず、作業者は、保持手段５に複数の端子付電線１００を保持させ、被覆装置１を起動させる。制御手段は移動手段を制御してノズル２１の位置を調節する。即ち、ノズル２１のＹ方向位置を端子金具３００の第１加締め部３０２に合わせするとともに、Ｘ方向位置を一方側（図１における左側）に配置された端子付電線１００に合わせ、端子付電線１００とのＺ方向における間隔を調節する。次に、制御手段は、直流電源３１に電圧の印加を開始させた後、スプレーガン２に出射液の出射を開始させ、図１に二点鎖線で示すようにノズル２１をＸ方向の他方側（図１における右側）に移動させていく。即ち、ノズル２１に出射液を出射させつつノズル２１をＸ方向に移動させる。尚、出射開始時に出射液の品質が安定しない場合には、出射液が端子付電線１００に届かない位置において予め出射液を出射しておいてもよい。
【００３６】
ノズル２１がＸ方向の他方側の端子付電線１００に対向する位置まで移動したら、制御手段は、出射液の出射を一旦停止し、ノズル２１をＹ方向に沿って移動させた後、出射を再開するとともにノズル２１をＸ方向の一方側に向けて移動させる。尚、ノズル２１をＸ方向に移動させる回数は、防食材の被覆厚さや、出射液の出射量等に応じて適宜に設定されればよい。尚、ノズル２１をＹ方向に移動させる際、例えばノズル２１と端子付電線１００との間隔を略一定に保つようにノズル２１をＺ方向に移動させてもよい。また、端子付電線１００の被覆領域Ａの広さに応じてノズル２１をＹ方向に移動させればよく、被覆領域Ａが狭い場合にはノズル２１をＹ方向に移動させなくてもよい。
【００３７】
ノズル２１の移動及び出射が終了したら、作業者は、被覆装置１を一旦停止させ、保持本体部５１を裏返す。次に、作業者は被覆装置１を再起動させ、保持本体部５１を裏返す前の工程と同様にノズル２１を移動させつつ出射液を出射させる。尚、出射液が端子付電線１００におけるノズル２１の反対側にまで回り込み、反対側においても防食材の被覆厚さが充分に確保できる場合には、保持本体部５１を裏返さなくてもよい。また、ノズル２１のＸ方向における移動回数は、保持本体部５１の裏返しの前後で異なっていてもよい。
【００３８】
出射液の出射が完了したら、作業者は被覆装置１を停止させ、端子付電線１００に付着した出射液を乾燥させる。このとき、ヒータ等を用いて加熱することで乾燥させてもよいし、自然乾燥させてもよい。出射液が乾燥したら、防食材による被覆層が端子付電線１００の表面に形成される。
【００３９】
ここで、出射液と、端子付電線１００の被覆領域Ａにおける金属表面と、の電気的な相互作用について説明する。まず、ノズル２１が正に帯電していることから、出射液も正に帯電する。従って、図５（Ａ）に示すように、出射液Ｌはクーロン力Ｆ１によって負に帯電した被覆領域Ａに引き寄せられる。
【００４０】
図５（Ｂ）に示すように、出射液Ｌが金属表面に付着すると、出射液Ｌが有していた正の電荷は金属側に移り、さらに金属表面が負に帯電していることにより、付着した出射液Ｌも負に帯電する。このとき、金属全体が略等電位となるのに対し、出射液Ｌは比較的高い抵抗値を有するため、出射液の層全体は等電位とはならず、付着した出射液Ｌのノズル２１側の表面の電位Ｖ１は、金属表面のうち出射液Ｌが付着していない部分の電位Ｖ２よりも、絶対値が小さくなる。
【００４１】
従って、図５（Ｂ）に示すように金属表面の一部に出射液Ｌが付着した状態でさらに出射液Ｌを出射すると、この出射液Ｌは露出した金属表面に引き寄せられやすくなる。即ち、露出した金属表面を向いたクーロン力Ｆ２がはたらく。このように出射液Ｌの出射を継続すると、図５（Ｃ）に示すように出射液Ｌが金属表面の全体に付着して出射液Ｌの層が形成される。
【００４２】
このような本実施形態によれば、以下のような効果がある。即ち、収容部５１２Ｄに端子接続部３０４を収容して端子マスク部５１２Ｂによって覆うことで、出射液が端子接続部３０４に付着してしまうことを抑制することができる。また、出射液が帯電していることで、液滴同士が反発して拡散されるとともに出射液が被覆領域Ａに引き寄せられ、被覆領域Ａにおける端子マスク部５１２Ｂとの境界近傍にも出射液を付着させることができ、被覆領域Ａが露出しないように防食材によって被覆することができる。
【００４３】
さらに、電圧印加手段３によってノズル２１と端子付電線１００の被覆領域Ａとが互いに異なる極性を有して帯電するように電圧を印加し、出射液を出射することで、被覆領域Ａ全体に出射液の層を形成し、防食材による被覆層を端子付電線１００の表面に形成することができる。従って、被覆領域Ａの露出をさらに抑制して防食材によって被覆することができる。
【００４４】
さらに、収容部５１２Ｄのアルミニウム電線２００側の開口がカバー壁５１２Ｅ及び載置突起５１２Ｃによって塞がれていることで、出射液を開口から収容部５１２Ｄ内に浸入しにくくし、端子接続部３０４に出射液が付着してしまうことをさらに抑制することができる。また、カバー壁５１２Ｅが導電性を有し、端子金具３００と同様に帯電していることで、帯電した液体をカバー壁５１２Ｅに付着させやすくすることができ、出射液が収容部５１２Ｄ内に向かいにくくなり、浸入を抑制することができる。
【００４５】
さらに、端子金具３００側が上方を向くように端子付電線１００が傾斜して保持されることで、被覆領域Ａ表面に付着した出射液が端子接続部３０４側に流れて収容部５１２Ｄ内に浸入することを抑制することができる。このとき、被覆領域Ａにおいて出射液が下方側に流れる可能性があるものの、上記のように出射液が拡散されるとともに、上方側に位置した端子マスク部５１２近傍においても出射液を被覆領域Ａに付着させやすいことから、被覆領域Ａが露出しにくい。
【００４６】
さらに、ノズル２１に出射液を出射させつつノズル２１を端子付電線１００の並設方向であるＸ方向に沿って移動させることで、簡単な構成で複数の端子付電線１００の被覆領域Ａを防食材によって被覆することができる。このとき、帯電した出射液は、拡散されやすく、且つ、被覆領域Ａに引き寄せられることから、出射液の出射時に被覆領域Ａの形状等に合わせてノズル２１のＹ方向又はＺ方向への移動を制御しなくても、被覆領域Ａが露出しないように防食材によって被覆することができる。
【００４７】
さらに、被覆材としての防食材によって端子付電線１００の被覆領域Ａを被覆することで、被覆領域Ａの腐食を抑制することができる。また、防食材は防水性も有し、被覆領域Ａにおいて導体部２００Ａ及び端子金具３００の表面まで水が浸入することを抑制することができる。
【００４８】
なお、本発明は、前記実施形態に限定されるものではなく、本発明の目的が達成できる他の構成等を含み、以下に示すような変形等も本発明に含まれる。
【００４９】
例えば、前記実施形態では、カバー壁５１２Ｅが導電性を有するものとしたが、カバー壁は絶縁物で構成されていてもよく、例えばカバー壁における収容部５１２Ｄの外側の表面（アルミニウム電線２００側の表面）が例えばフッ素樹脂等の撥水性材料によって被覆されていてもよい。このような構成によれば、出射液がカバー壁の表面において弾かれやすく、出射液がカバー壁を伝って収容部５１２Ｄ内に浸入することを抑制することができる。また、カバー壁の先端が載置板部３０１と底板部３０５との境界部分に密着し、出射液の収容部５１２Ｄ内への浸入が充分に抑制されていれば、カバー壁が絶縁物で構成されるとともに撥水性材料による被覆が施されていなくてもよい。
【００５０】
また、前記実施形態では、カバー壁５１２Ｅと載置突起５１２Ｃとによって収容部５１２Ｄの開口を塞ぐものとしたが、載置突起５１２Ｃが省略されて載置板部３０１及び底板部３０５が端子載置部材５１２Ａの上面に載置されるとともに、カバー壁の先端が載置板部３０１と底板部３０５との境界部分に当接することにより、カバー壁によって収容部５１２Ｄの開口が塞がれていてもよい。また、収容部５１２Ｄ内に出射液が浸入しにくい場合には、カバー壁によって開口が完全には塞がれていなくてもよいし、開口が充分に狭い場合には、図６に示すように、前記実施形態のカバー本体５１２Ｂに代えてカバー壁が省略されたカバー本体５１２Ｆが用いられてもよい。このような構成によれば、端子載置部材５１２Ａにマスク本体５１２Ｂを組み付けた後に収容部５１２Ｄに端子接続部３０４を挿入することができ、作業性を向上させることができる。
【００５１】
また、前記実施形態では、端子金具３００側が上方を向くように保持手段５によって端子付電線１００が傾斜して保持されるものとしたが、保持手段は、端子付電線１００を傾斜させずに水平面に沿うように保持してもよいし、端子付電線１００が鉛直方向に沿って延びるように保持してもよい。
【００５２】
また、前記実施形態では、電圧印加手段３は、電極部５１３が負の電荷を有して帯電するとともにノズル２１が正の電荷を有して帯電するように電圧を印加するものとしたが、電圧印加手段３は、電極部５１３が正の電荷を有して帯電するとともにノズル２１が負の電荷を有して帯電するように電圧を印加してもよい。また、電圧印加手段３が、電極部５１３とノズル２１とが同じ極性を有して帯電するように電圧を印加してもよいし、一方が接地電位とされてもよく、これらの構成において、帯電した出射液は、ノズル２１と被覆領域Ａとの間に形成された電界によって移動し、被覆領域Ａに引き寄せられる。
【００５３】
また、前記実施形態では、移動手段４がノズル２１を移動させるものとしたが、保持手段５を移動させる移動手段を設けることでノズル２１と端子付電線１００とを相対移動させてもよい。
【００５４】
また、前記実施形態では、被覆材として防食材を例示したが、被覆材は、例えば金属の露出した部分に絶縁層を形成するためのものであってもよいし、金属表面に傷がつくことを抑制するためのコーティング材であってもよく、端子付電線１００のうち少なくとも導体部２０１を被覆する適宜なものであればよい。また、出射液は、適宜な液体に被覆材が溶解又は分散されていてもよいし、液体の被覆材によって構成され、例えば紫外線やＸ線を照射したり加熱したりすることによって硬化するものであってもよい。
【００５５】
また、前記実施形態では、導体部２００Ａがアルミニウム又はアルミニウム合金で構成されたアルミニウム電線を有する端子付電線１００を対象として防食材を被覆するものとしたが、電線の導体部の材質はアルミニウムに限定されず、例えば銅等の適宜な金属や、適宜な金属が組み合わされた合金であってもよい。
【００５６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５７】
１          被覆装置
２          スプレーガン（出射手段）
３          電圧印加手段
５          保持手段
２１        ノズル（出射部）
５１２      端子マスク部
５１２Ｄ    収容部
５１２Ｅ    カバー壁
５１３      電極部
１００      端子付電線
２００      アルミニウム電線（電線）
２０１      導体部
３００      端子金具
３０２      第１加締め部（導体接続部）
３０４      端子接続部
４００      接続部分
Ｌ          出射液（液体）
【図１】
0006509640.tif 000002
【図２】
0006509640.tif 000003
【図３】
0006509640.tif 000004
【図４】
0006509640.tif 000005
【図５】
0006509640.tif 000006
【図６】
0006509640.tif 000007